(57)【特許請求の範囲】
【請求項１】
開閉機構を組み込んだケースとカバーからなるしゃ断器ケースに対し、前記カバーには付属装置としての付属スイッチを左右に並べて格納する補助カバー付きの凹所を設けた回路しゃ断器において、前記補助カバーはその左右両端から後方に突き出たアームをカバーにヒンジ結合した片開き式開閉蓋とし、かつ補助カバーを閉位置から開いた際に、補助カバーを直立姿勢に仮止めする係止保持手段を備えたことを特徴とする回路しゃ断器。
【請求項２】
請求項１記載の回路しゃ断器において、補助カバーの仮止め係止保持手段として、補助カバーの後縁に係合段部を形成するとともに、該係合段部に対向してしゃ断器ケースのカバー側に係合突起を設け、補助カバーの開放位置で前記係合段部を係合突起に当てて補助カバーを直立姿勢に仮止め保持するようにしたことを特徴とする回路しゃ断器。
【発明の詳細な説明】
【０００１】
【発明の属する技術分野】
本発明は、オートブレーカ，漏電しゃ断器などを対象とした回路しゃ断器に関し、詳しくはそのしゃ断器本体のケースカバーに画成した付属スイッチ格納用の凹所に対する補助カバーの取付構造に係る。
【０００２】
【従来の技術】
まず、頭記したオートブレーカを例に、本発明の実施対象となる回路しゃ断器の構成を図４，図５に示す。各図において、１はケース２とカバー３を組合せた樹脂成形品のしゃ断器ケース、４は電源側端子と一体になる固定接触子、５は可動接触子、６は開閉機構、７は操作ハンドル、８は過電流引外し装置、９は負荷側端子であり、前記カバー３には付属装置（オプション品）として後記の付属スイッチを左右に並べて格納するポケット状の凹所３ａが画成されており、さらに該凹所３ａには開閉蓋としての補助カバー１０を装備している。
【０００３】
ここで、しゃ断器ケース１のカバー３は、その中央部が凸状に膨出した形状として、その中央凸部の上面から操作ハンドル７を引き出すようにしており、前記の凹所３ａは中央凸部に隣接して電源端子側の領域に画成されている。また、補助カバー１０はその左右両端をカバー３の軸受部にヒンジ結合した片開き式の開閉蓋としてなり、その蓋部は図示のように断面Ｌ字形としてその起立側の端面をカバー３の凸部壁面に突き合わせた閉位置でカバー３にねじ締結するようにしている。
【０００４】
また、図５において、１１は付属スイッチとしての補助スイッチ（回路しゃ断器の可動接触子５に連動して主回路接点のＯＮ，ＯＦＦ状態を電気信号として外部に取り出す）、１２は警報スイッチ（回路しゃ断器のトリップ動作を電気信号として外部に取り出す）、１３はスイッチ１１，１２から引出して外部信号線と接続するリード線であり、これら付属スイッチをしゃ断器本体に装着する場合には、前記の補助カバー１０を図４の鎖線位置に開放した上で、図５で示すように補助スイッチ１１，警報スイッチ１２を左右に並べてしゃ断器ケース１のカバー３に画成した凹所３ａの中に差し込んで装着する。また、各付属スイッチのリード線１３は、しゃ断器ケース１から側方に引出してそのまま外部信号線に接続するか、あるいはリード線１３と相互接続した専用の付属端子台（図示せず）をしゃ断器ケース１の側面に装着し、該付属端子台に外部の信号線と接続するようにしている。
【０００５】
【発明が解決しようとする課題】
前記した回路しゃ断器を使用先の分電盤，制御盤などに据え付ける場合には、盤の前方からハンドル操作が行えるように、電源側の端子を上，負荷側の端子を下に向けてしゃ断器ケース１を縦向き姿勢で盤内に敷設した支持レールに取付けるようにしている。
【０００６】
このような使用先の分電盤に回路しゃ断器を据え付けた状態で、ユーザーが回路しゃ断器に補助スイッチ１１，警報スイッチ１２などの付属装置を追加装備する場合には、その作業手順として、まず補助カバー１０の止めねじを緩めた上で補助カバーに手をかけて開放位置に開き、この状態で付属スイッチを前方からカバー３の凹所３ａに差し込んで装着する。
【０００７】
ところで、先記のようにしゃ断器ケース１のカバー３に片持ち式にヒンジ結合した開閉自在の補助カバー１０は、上方にはね上げた開放位置で手を離すと自重で閉位置に戻ってしまう。このために、回路しゃ断器の使用先現場で付属装置を装着，あるいは取り外す場合には、作業者は片方の手で補助カバー１０を開放位置に支えながら別の手を使って補助スイッチ類の装着を行わなければならず、その作業がやり難くなるといった問題がある。
【０００８】
本発明は上記の点に鑑みなされたものであり、その目的は、回路しゃ断器を分電盤などに据え付けた状態で、ユーザーが付属装置を装着する場合の作業性を考慮して、補助カバーを閉位置から開いた際に手を離してもそのまま開放位置に保持できるようにその取付構造を改良した回路しゃ断器を提供することにある。
【０００９】
【課題を解決するための手段】
上記目的を達成するために、本発明によれば、開閉機構を組み込んだしゃ断器ケースのカバーに対し、該カバーには付属スイッチを左右に並べて格納する凹所、およびカバーにヒンジ結合した片開き式開閉蓋としてなる凹所の補助カバーを設けた回路しゃ断器において、
前記補助カバーはその左右両端から後方に突き出たアームをカバーにヒンジ結合した片開き式開閉蓋とし、かつ補助カバーを閉位置から開いた際に、補助カバーを直立姿勢に仮止めする係止保持手段を備える（請求項１）ものとし、その具体的な態様として、補助カバーの後縁に係合段部を形成するとともに、該係合段部に対向してしゃ断器ケースのカバー側には係合突起を設け、補助カバーの開放位置で前記係合段部を係合突起に当てて補助カバーを直立姿勢に仮止め保持するように構成する（請求項２）。
【００１０】
上記の構成によれば、回路しゃ断器を縦向き姿勢で使用先の分電盤などに据え付けた状態で、ユーザーが補助スイッチ，警報スイッチなどの付属装置を装着もしくは取り外す場合に、回路しゃ断器の前方から補助カバーに手にかけて閉位置から開放位置（水平姿勢）に開くと、補助カバーの係合段部がしゃ断器ケースのカバーに設けた係合突起に引っ掛かってその位置に仮止め保持される。これにより、補助カバーから手を離したままで、両手を使って付属スイッチの挿脱作業を行うことができる。
【００１１】
【発明の実施の形態】
以下、本発明の実施の形態を図示図１〜図３に示す実施例に基づいて説明する。なお、実施例の図中で図４，図５に対応する部材には同じ符号を付してその説明は省略する。
すなわち、図示実施例においては、しゃ断器ケースのカバー３、および該カバー３に画成した付属スイッチ格納用の凹所３ａに付設する補助カバー１０の構造は、基本的に図４，図５に示した従来の構造と同様であるが、補助カバー３を開放位置で直立姿勢に仮止めする係止保持手段として、カバー３および補助カバー１０には後記のような形状部が追加形成されている。なお、図１(a),(b) において、３ｂは補助カバー１０を軸支するヒンジ部（軸受穴）、３ｃは補助カバー３を閉位置に締結するねじ穴、３ｄはハンドル７（図４参照）を引き出す窓穴である。また、１０ａは補助カバーの左右両端から後方に突き出したオフセットアーム、１０ｂは前記アーム１０ａの内面に形成してカバー３のヒンジ部３ｂに嵌合する支軸（円形突起）、１０ｃは前記のねじ穴３ｄに対応して補助カバー３に穿孔した締結ねじの通し穴である。
【００１２】
また、前記の係止保持手段として、カバー３には、しゃ断器ケースの相間隔壁に対応する仕切壁部の頂部端面に図２(a) の拡大図で表すような係合突起３ｄを形成するとともに、該係合突起３ｄに対向して補助カバー１０には、蓋板の後縁部に図２(b) の拡大図で表すような係合段部（凹み）１０ｄを形成し、ヒンジ部を支点として開閉する補助カバーの動きに伴う係合段部１０ｄの移動軌跡がカバー３の係合突起３ｄと交差し合うように設定している。
【００１３】
かかる構成で、補助カバー３をしゃ断器ケースのカバー３に装着した状態で、図１(b) の閉成位置（実線）から開放位置（鎖線）に向けて開くと、その移動の途上で補助カバー１０の後縁が係合突起３ｄに乗り上げてブレーキをかけた後、続いて係合段部（凹み）１０ｄが係合突起３ｄに嵌まり込んで止まり、補助カバー１０がこの開放位置に係止保持される。つまり、この状態では補助カバー１０から手を離しても、図１(b) の鎖線で示す起立姿勢に保持される。
【００１４】
したがって、図５で述べたように分電盤などに据え付けた状態で回路しゃ断器に補助スイッチ１１，警報スイッチ１２などの付属スイッチを装着する場合には、その作業手順として補助カバー１０を開放位置に係止保持させた後は、両手を自由に使って付属スイッチをカバー３の凹所３ａに装着することができて作業性が向上する。また、付属スイッチを装着した後に、開放位置に仮止め保持されている補助カバー１０を指先で閉位置に向けて押すと、前記の係合突起３ｄと係合段部１０ｄとの係合が外れて、補助カバー１０は自重で倒れて閉位置に戻る。
【００１５】
なお、図５で述べたように、付属スイッチのリード線１３に接続した付属端子台をしゃ断器ケース１の側面に装着する場合に、図１(a) で示すようにカバー３の左右側壁面の前後位置にあり溝３ｆを形成しておき、このあり溝３ｆに付属端子台の係合突起（あり）を差し込んで装着するようにすれば、前記のように補助カバー１０を開放した状態でも、補助カバーに邪魔されることなく付属端子台をしゃ断器ケース１の側面に装着することができる。
【００１６】
【発明の効果】
以上述べたように、本発明によれば、開閉機構を組み込んだケースとカバーからなるしゃ断器ケースに対し、前記カバーには付属装置としての付属スイッチを左右に並べて格納する補助カバー付きの凹所を設け、かつ前記補助カバーがその左右両端から後方に突き出たアームをカバーにヒンジ結合した片開き式開閉蓋としてなる回路しゃ断器において、前記補助カバーを閉位置から開いた際に、補助カバーを直立姿勢に仮止めする係止保持手段を設け、かつその係止保持手段として、カバーの後縁に係合段部を形成するとともに、該係合段部に対向してカバー側に係合突起を設け、補助カバーの開放位置で前記係合段部を係合突起に当てて補助カバーを直立姿勢に仮止め保持するように構成したことにより、
回路しゃ断器を分電盤などに据え付けた状態で、ユーザーが補助スイッチ，警報スイッチなどの付属装置を追加装備する場合に、補助カバーを閉位置から開放位置に開いて仮止めし、この状態で両手を自由に使って付属スイッチを装着することができ、その作業性の改善が図れる。
【図面の簡単な説明】
【図１】本発明の実施例によるしゃ断器ケースカバーの構成図であり、(a) は補助カバーを外した状態での正面図、(b) は(a) 図の矢視Ｘ−Ｘ断面図
【図２】図１(b) にけおる要部の部分拡大図であり、(a) はカバー側に形成した係合突起、(b) は補助カバーに形成した係合段部の形状を表す図
【図３】図２に対応した補助カバーの仮止め動作説明図であり、(a),(b) はそれぞれ補助カバーの閉成，開放の状態を表す図
【図４】本発明の付属スイッチを搭載する回路しゃ断器の構成断面図
【図５】付属スイッチとともに表した図４の回路しゃ断器の部分平面図
【符号の説明】
１    しゃ断器ケース
２    ケース
３    カバー
３ａ  凹所
３ｂ  ヒンジ部
３ｄ  係合突起
１０    補助カバー
１０ａ  アーム
１０ｄ  係合段部
【図１】
0004288867.tif 000002
【図２】
0004288867.tif 000003
【図３】
0004288867.tif 000004
【図４】
0004288867.tif 000005
【図５】
0004288867.tif 000006